(57)【特許請求の範囲】
【請求項１】
炭化タングステン基超硬合金、炭窒化チタン基サーメット、高速度鋼あるいは立方晶窒化硼素基超高圧焼結体からなる工具基体の最表面に、０．０５〜５μｍの膜厚を有し、コランダム型の結晶構造を有するαアルミナ構造の酸化アルミニウム層を被覆形成する表面被覆切削工具の製造方法において、
上記酸化アルミニウム層は、アルミニウムのアルコキシドにアルコールを添加し、さらに酸を添加した後、１０℃以下の温度範囲にて攪拌して生成させたゾルを、上記工具基体の表面へ塗布し、それに続き１００〜４００℃で乾燥する処理を１回以上繰り返し行い、次いで、５００〜１０００℃の温度範囲で焼成処理を行うゾル−ゲル法により被覆形成する、
ことを特徴とする耐摩耗性に優れた表面被覆切削工具の製造方法。
【請求項２】
上記工具基体の表面に、硬質皮膜として、周期律表の４ａ、５ａ、６ａ族、Ａｌ、Ｓｉから選ばれる少なくとも一種以上の元素を含有する窒化物を物理蒸着法、化学蒸着法もしくはゾル‐ゲル法によって被覆し、該硬質皮膜表面に上記酸化アルミニウム層を形成することを特徴とする請求項１に記載の耐摩耗性にすぐれた表面被覆切削工具の製造方法。
【請求項３】
上記工具基体の表面に、予め、プラズマ窒化処理を施すことを特徴とする請求項１に記載の耐摩耗性にすぐれた表面被覆切削工具の製造方法。
【請求項４】
上記のアルミニウムのアルコキシドとアルコールと酸からゾルを生成にあたり、酸を添加する際に、同時に平均粒径１０〜３００ｎｍのαアルミナ粒子を添加することを特徴とする請求項１乃至３のいずれか一項に記載の耐摩耗性にすぐれた表面被覆切削工具の製造方法。
【発明の詳細な説明】
【技術分野】
【０００１】
この発明は、耐摩耗性に優れた表面被覆切削工具の製造方法に関し、特に、炭化タングステン基超硬合金、炭窒化チタン基サーメット、高速度鋼あるいは立方晶窒化硼素基超高圧焼結体からなる工具基体（以下、単に工具基体という）の表面に、あるいは、該工具基体表面に形成した硬質皮膜の表面に、ゾル−ゲル法により酸化アルミニウム層を形成することを特徴とする耐摩耗性に優れた表面被覆切削工具の製造方法に関する。
【背景技術】
【０００２】
従来から、工具基体表面に、周期律表の４ａ、５ａ、６ａ族から選ばれた少なくとも１種以上の元素の炭化物、窒化物、炭窒化物等からなる硬質皮膜を被覆形成することにより、切削工具の耐摩耗性向上を図ることが知られている。
そして、硬質皮膜のうちでも、α型酸化アルミニウム層は、熱安定性に優れ、反応性が低く、かつ、高硬度であるという点から、上記周期律表の４ａ、５ａ、６ａ族から選ばれた少なくとも１種以上の元素の炭化物、窒化物、炭窒化物等からなる硬質皮膜の最表面層として、α型酸化アルミニウム層が被覆形成されることが多い。
酸化アルミニウム層の被覆形成方法としては、通常は、化学蒸着（ＣＶＤ）法が採用されているが、その他に、物理蒸着（ＰＶＤ）法、ゾル−ゲル法によって酸化アルミニウム層を形成することも知られている。
例えば、特許文献１に示すように、工具基体、硬質皮膜の特性の劣化・変形を招かないために、低温条件下（１０００℃以下）でのα型アルミナ層の形成方法として、工具基体表面に、Ａｌと、４ａ族、５ａ族、６ａ族およびＳｉよりなる群から選択される少なくとも１種の元素とを必須成分とする窒化物、炭化物、炭窒化物、ほう化物、窒酸化物、炭窒酸化物からなる硬質皮膜を物理蒸着（ＰＶＤ）法で形成した後、該硬質皮膜を酸化することによって酸化物含有層を形成し、該酸化物含有層上に物理蒸着（ＰＶＤ）することにより、最表面層としての耐摩耗性および耐熱性に優れたα型結晶構造を主体とするアルミナ層を蒸着形成することが提案されている。
また、特許文献２に示されるように、物理蒸着（ＰＶＤ）法により硬質被覆層を蒸着形成した表面被覆切削工具において、第１の層を（Ｔｉ、Ａｌ）Ｎ層で構成し、また、第２の層を酸化アルミニウム層（好ましくは、γ型アルミナ層）で構成することが提案されている。
さらに、特許文献３に示すように、機械特性、耐久性がある酸化アルミニウム被覆構造体の製造方法として、母材上に、結晶構造がアモルファス構造、又はγ型のアルミナ、又はそれらの混合物からなる第１のアルミナ層をゾル−ゲル法で被覆した後、スパッタリングにより、γ型を主体とする第２のアルミナ層を被覆形成することが提案されている。
【先行技術文献】
【特許文献】
【０００３】
【特許文献１】特開２００４−１２４２４６号公報
【特許文献２】特開２００７−７５９９０号公報
【特許文献３】特開２００６−２０５５５８号公報
【発明の概要】
【発明が解決しようとする課題】
【０００４】
硬質皮膜とその最表面に形成した酸化アルミニウムからなる硬質被覆層を被覆形成した上記従来の表面被覆切削工具（以下、単に被覆工具という）においては、最表面の酸化アルミニウム層は、鋼等の切削加工に際し、被覆工具のすくい面での耐摩耗性向上が挙げられるが、これは、特に、α型アルミナの熱安定性、非反応性が高いことによるものである。
【０００５】
上記特許文献１においては、物理蒸着（ＰＶＤ）法による低温条件下でのα型アルミナ層の形成が提案されているが、酸化アルミニウム層の蒸着形成にあたっては、まず、硬質皮膜を酸化させてその表面に酸化物含有層を形成する必要があるが、酸化物含有層と酸化アルミニウム層との密着性が十分でないこと、また、酸化アルミニウムとして、α型アルミナばかりでなくγ型アルミナも存在するために十分な耐熱性が得られず、その結果、長期の使用にわたって満足できる切削性能を発揮し得ないという問題があった。
【０００６】
この発明は、上記知見に基づいてなされたものであって、
「（１）  炭化タングステン基超硬合金、炭窒化チタン基サーメット、高速度鋼あるいは立方晶窒化硼素基超高圧焼結体からなる工具基体の最表面に、０．０５〜５μｍの膜厚を有し、コランダム型の結晶構造を有するαアルミナ構造の酸化アルミニウム層を被覆形成する表面被覆切削工具の製造方法において、
上記酸化アルミニウム層は、アルミニウムのアルコキシドにアルコールを添加し、さらに酸を添加した後、１０℃以下の温度範囲にて攪拌して生成させたゾルを、上記工具基体の表面へ塗布し、それに続き１００〜４００℃で乾燥する処理を１回以上繰り返し行い、次いで、５００〜１０００℃の温度範囲で焼成処理を行うゾル−ゲル法により被覆形成する、
ことを特徴とする耐摩耗性に優れた表面被覆切削工具の製造方法。
（２）  上記工具基体の表面に、硬質皮膜として、周期律表の４ａ、５ａ、６ａ族、Ａｌ、Ｓｉから選ばれる少なくとも一種以上の元素を含有する窒化物を物理蒸着法、化学蒸着法もしくはゾル‐ゲル法によって被覆し、該硬質皮膜表面に上記酸化アルミニウム層を形成することを特徴とする前記（１）に記載の耐摩耗性にすぐれた表面被覆切削工具の製造方法。
（３）  上記工具基体の表面に、予め、プラズマ窒化処理を施すことを特徴とする前記（１）に記載の耐摩耗性にすぐれた表面被覆切削工具の製造方法。  
（４）  上記のアルミニウムのアルコキシドとアルコールと酸の混合によるゾルの生成にあたり、酸を添加する際に、同時に平均粒径１０〜３００ｎｍのαアルミナ粒子を添加することを特徴とする前記（１）乃至（３）のいずれかに記載の耐摩耗性にすぐれた表面被覆切削工具の製造方法。」
を特徴とするものである。
【課題を解決するための手段】
【０００７】
そこで、本発明者等は、工具基体表面に物理蒸着（ＰＶＤ）法で硬質皮膜を形成した後、その最表面層を被覆形成するためのゾル−ゲル法について鋭意検討したところ、低温条件下で長時間の熟成処理を行うアルミナゾルの調製によって、最表面層として、α型結晶構造を有する酸化アルミニウム層を被覆形成し得ることを見出したのである。
【０００８】
即ち、アルミナゾルの調製に際し、通常よりも低温下での攪拌と、長時間の熟成処理を行った場合には、加水分解の反応速度を低下させることで、Ａｌ−Ｏの結合からなる酸化アルミニウム前駆体が密に形成され、その結果、低温下でのαアルミナの結晶化を促すことができることから、これを乾燥、焼成すると、硬質皮膜の最表面層として、コランダム型の結晶構造を有するαアルミナ構造の酸化アルミニウム層を形成し得ることを見出したのである。
【０００９】
また、この発明の表面被覆切削工具の製造方法では、上記工具基体の表面に、当業者において既に知られている硬質皮膜、即ち、周期律表の４ａ、５ａ、６ａ族およびＳｉから選ばれる少なくとも１種以上の元素とＡｌとを含有する窒化物からなる少なくとも１層以上の硬質皮膜（例えば、ＴｉＡｌＮ膜、ＣｒＡｌＮ膜等）を物理蒸着（ＰＶＤ）法により形成した後、該硬質皮膜の表面にコランダム型の結晶構造を有するαアルミナ構造の酸化アルミニウム層をゾル−ゲル法により被覆形成することもできる。
なお、上記物理蒸着（ＰＶＤ）法による硬質皮膜の形成に際しては、酸化アルミニウム層と接する硬質皮膜については、密着性を高めるという観点から、該硬質皮膜中の金属成分に占めるＡｌの含有割合が４０原子％以上である窒化物皮膜として形成することが望ましい。
これは、硬質皮膜中の金属成分に占めるＡｌの含有割合が４０原子％以上の窒化物皮膜であると、窒化物皮膜と酸化アルミニウム皮膜との界面にアルミニウム濃度の高い酸化物を形成し、この酸化物が窒化物皮膜と酸化アルミニウム皮膜を強固に接着する作用を有するようになるため、という理由による。
【００１０】
そして、本発明の製造方法によって製造された表面被覆切削工具は、最表面の酸化アルミニウム層の表面が平滑であり、切屑に対する耐溶着性に優れることと相俟って、長期の使用にわたって優れた耐摩耗性を発揮することを見出したのである。
【００１１】
この発明は、上記知見に基づいてなされたものであって、
「（１）  炭化タングステン基超硬合金、炭窒化チタン基サーメット、高速度鋼あるいは立方晶窒化硼素基超高圧焼結体からなる工具基体の最表面に、０．０５〜５μｍの膜厚を有し、コランダム型の結晶構造を有するαアルミナ構造の酸化アルミニウム層を被覆形成する表面被覆切削工具の製造方法において、
上記酸化アルミニウム層は、アルミニウムのアルコキシドにアルコールを添加し、さらに酸を添加した後、１０℃以下の温度範囲にて攪拌して生成させたゾルを、上記工具基体の表面あるいは工具基体表面に形成した硬質皮膜の最表面へ塗布し、それに続き１００〜４００℃で乾燥する処理を１回以上繰り返し行い、次いで、５００〜１０００℃の温度範囲で焼成処理を行うゾル−ゲル法により被覆形成する、
ことを特徴とする耐摩耗性に優れた表面被覆切削工具の製造方法。
【００１２】
（２）  上記工具基体の表面に、硬質皮膜として、周期律表の４ａ、５ａ、６ａ族、Ａｌ、Ｓｉから選ばれる少なくとも一種以上の元素を含有する窒化物を物理蒸着法、化学蒸着法もしくはゾル‐ゲル法によって被覆し、該硬質皮膜最表面に上記酸化アルミニウム層を形成することを特徴とする前記（１）に記載の耐摩耗性にすぐれた表面被覆切削工具の製造方法。
【００１３】
この発明の表面被覆切削工具の製造方法によれば、工具基体の表面に直接、あるいは、物理蒸着（ＰＶＤ）法によって形成された硬質皮膜を介してその表面に、ゾル−ゲル法によって、コランダム型の結晶構造を有するαアルミナ構造の酸化アルミニウム層を被覆形成するが、形成された上記酸化アルミニウム層は、すぐれた耐溶着性、耐摩耗性を有し、また、硬質皮膜を介して最表面に形成された上記酸化アルミニウム層は、硬質皮膜とすぐれた密着強度を有することから、この発明の製造方法により作製した表面被覆切削工具は、長期の使用にわたりすぐれた切削性能を発揮し、工具寿命の長寿命化が図られるのである。
【００１４】
（４）  上記のアルミニウムのアルコキシドとアルコールと酸の混合によるゾルの生成にあたり、酸を添加する際に、同時に平均粒径１０〜３００ｎｍのαアルミナ粒子を添加することを特徴とする前記（１）乃至（３）のいずれかに記載の耐摩耗性にすぐれた表面被覆切削工具の製造方法。」
を特徴とするものである。
【００１５】
以下、本発明について、詳細に説明する。
【００１６】
この発明の表面被覆切削工具の製造方法では、炭化タングステン基超硬合金、炭窒化チタン基サーメット、高速度鋼あるいは立方晶窒化硼素基超高圧焼結体からなる工具基体の表面に直接、コランダム型の結晶構造を有するαアルミナ構造の酸化アルミニウム層をゾル−ゲル法により被覆形成する。
【００１７】
また、この発明の表面被覆切削工具の製造方法では、上記工具基体の表面に、当業者において既に知られている硬質皮膜、即ち、周期律表の４ａ、５ａ、６ａ族およびＳｉから選ばれる少なくとも１種以上の元素とＡｌとを含有する窒化物からなる少なくとも１層以上の硬質皮膜（例えば、ＴｉＡｌＮ膜、ＣｒＡｌＮ膜等）を物理蒸着（ＰＶＤ）法により形成した後、該硬質皮膜の最表面にコランダム型の結晶構造を有するαアルミナ構造の酸化アルミニウム層をゾル−ゲル法により被覆形成することもできる。
【００１８】
なお、上記物理蒸着（ＰＶＤ）法による硬質皮膜の形成に際しては、酸化アルミニウム層と接する硬質皮膜については、密着性を高めるという観点から、該硬質皮膜中の金属成分に占めるＡｌの含有割合が４０原子％以上である窒化物皮膜として形成することが望ましい。
【００１９】
これは、硬質皮膜中の金属成分に占めるＡｌの含有割合が４０原子％以上の窒化物皮膜であると、窒化物皮膜と酸化アルミニウム皮膜との界面にアルミニウム濃度の高い酸化物を形成し、この酸化物が窒化物皮膜と酸化アルミニウム皮膜を強固に接着する作用を有するようになるため、という理由による。
【００２０】
本発明のゾル−ゲル法による酸化アルミニウム層の被覆形成工程は、具体的には次のとおりである。
アルミナゾルの調製：
まず、アルミニウムのアルコキシド（例えば、アルミニウムセカンダリブトキシド、アルミニウムプロポキシド）にアルコール（例えば、エタノール、１−ブタノール）を添加し、さらに、酸（例えば、希塩酸、希硝酸）を添加（同時に、平均粒径１０〜３００ｎｍのαアルミナ粒子を添加してもよい）した後、１０℃以下の温度範囲にて攪拌し、かつ、例えば、１２時間以上の熟成処理を行うことによってアルミナゾルを形成する。
【００２１】
ここで、αアルミナ粒子を添加する場合、αアルミナ粒子の平均粒径が１０ｎｍ未満であると、凝集を生じやすく分散状態が悪くなり、一方、平均粒径が３００ｎｍを超えると、ゾル中への分散状態が悪くなるばかりか、膜中に取り込まれた際に欠陥となる危険性があることから、添加するαアルミナ粒子の平均粒径は１０〜３００ｎｍとする。
【００２２】
また、添加する酸の濃度は、０．０１〜  １．０Ｎが望ましく、アルコールに対する酸の添加量は、０．５〜５倍（容量）が望ましい。
【００２３】
通常行われるアルミナゾルの調製においては、４０〜８０℃での攪拌と、その攪拌温度で数時間程度の熟成処理が行われるが、この発明においては、１０℃以下の低温度範囲における攪拌を、例えば、１２時間以上という長時間をかけて熟成処理を行う。
【００２４】
ここで、攪拌時の温度が１０℃を超えると加水分解が過度に進んでしまうため、後工程の焼成工程でαアルミナが形成されなくなることから、攪拌時の温度を１０℃以下の低温温度範囲とした。
【００２５】
なお、熟成時間を１２時間以上という長時間にしたのは、低温で徐々に加水分解を促し、酸化アルミニウム前駆体を密に生成させるという理由による。
乾燥・焼成：
上記で調製したアルミナゾルを、工具基体の表面へ直接、あるいは、工具基体表面に物理蒸着（ＰＶＤ）法で形成した硬質皮膜の最表面へ塗布し、それに続き１００〜４００℃での乾燥処理を１回以上繰り返し行い、次いで、５００〜１０００℃の温度範囲で焼成処理を行って酸化アルミニウム層を被覆形成する。
【００２６】
上記乾燥処理によってアルミナの乾燥ゲルが形成され、次いで行う焼成処理によって、硬質皮膜表面に、コランダム型の結晶構造を有するαアルミナ構造の酸化アルミニウム層が被覆形成される。
【００２７】
上記酸化アルミニウム層の膜厚は、アルミナゾルの塗布厚さおよび塗布回数に依存するが、被覆形成された上記酸化アルミニウム層の膜厚が０．０５μｍ未満では、長期の使用にわたって表面被覆工具としてすぐれた耐摩耗性を発揮することができず、一方、膜厚が５μｍを越えると酸化アルミニウム層が剥離を生じやすくなることから、上記酸化アルミニウム層の膜厚は０．０５〜５μｍと定めた。
【００２８】
また、乾燥処理の温度範囲を１００〜４００℃、焼成処理の温度範囲を５００〜１０００℃と定めたのは、それぞれ、乾燥温度については、１００℃未満では十分な乾燥が行えず、４００℃を超えると焼成が同時に進行して膜にクラック等を発生し、皮膜が剥離等を生じやすくなるためであり、焼成温度については、５００℃未満では切削に十分な結晶性を有する酸化アルミニウム層が形成されず、１０００℃を越える温度で焼成した場合、特に大きな問題はないが、下地として成膜した（Ｔｉ，Ａｌ）Ｎ等の硬質皮膜の分解や酸化が生じたり、超硬合金やサーメット基体等の酸化が生じ、低温成膜の有利性が見られなくなるためという理由による。
【００２９】
上記酸化アルミニウム層は、工具基体に直接成膜することでも、その性能を発揮することは可能であるが、特に超硬合金や炭窒化チタン基サーメット、高速度鋼を基体とする場合には、あらかじめ工具基体表面をプラズマ窒化処理により工具表面付近の金属結合相を窒化することによって表面硬化させ、その表面に酸化アルミニウム層を形成させることにより、酸化アルミニウム層と工具基体との密着強度が向上し、工具寿命を延長することが可能となる。
【発明の効果】
【００３０】
この発明の表面被覆切削工具の製造方法によれば、工具基体の表面に直接、あるいは、物理蒸着（ＰＶＤ）法によって形成された硬質皮膜を介してその最表面に、ゾル−ゲル法によって、コランダム型の結晶構造を有するαアルミナ構造の酸化アルミニウム層を被覆形成するが、形成された上記酸化アルミニウム層は、すぐれた耐溶着性、耐摩耗性を有し、また、硬質皮膜を介して最表面に形成された上記酸化アルミニウム層は、硬質皮膜とすぐれた密着強度を有することから、この発明の製造方法により作製した表面被覆切削工具は、長期の使用にわたりすぐれた切削性能を発揮し、工具寿命の長寿命化が図られるのである。
【図面の簡単な説明】
【００３１】
【図１】（ａ）は、本発明の製造方法により製造した表面被覆切削工具（本発明工具１）の酸化アルミニウム層の電子線回折図形を示し、（ｂ）はその解析結果と面間隔の実測値を示す。
【発明を実施するための形態】
【００３２】
つぎに、この発明を実施例により具体的に説明する。
【実施例１】
【００３３】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、ＴａＮ粉末およびＣｏ粉末を用意し、これら原料粉末を所定の配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するインサート形状をもったＷＣ基超硬合金製の工具基体Ａ，Ｂ，Ｃ，Ｄ（超硬基体Ａ，Ｂ，Ｃ，Ｄという）を製造した。
（ａ）  ついで、上記超硬基体Ａを物理蒸着装置の一種であるアークイオンプレーティング装置に装入し、膜厚２．０μｍのＴｉ０．５Ａｌ０．５Ｎ層からなる硬質皮膜を物理蒸着により被覆形成した。
【００３４】
また、上記超硬基体Ｂについても、同じくアークイオンプレーティング装置に装入し、膜厚２．０μｍのＡｌ０．７Ｃｒ０．３Ｎ層からなる硬質皮膜を物理蒸着により被覆形成した。
【００３５】
また、上記超硬基体Ｃについては、プラズマ窒化処理装置内に装入し、基板を６００℃に加熱し、アンモニアと水素の気流中（流量比を１：４とする）、２００Ｐａの圧力下で、基板に−３００Ｖの直流電圧を印加し、約１時間プラズマ窒化処理を行った。
（ｂ）  一方、硬質皮膜の最表面に、酸化アルミニウム層をゾル−ゲル法で被覆形成するためのアルミナゾルの調製を、次のように行った。
【００３６】
アルミニウムのアルコキシドであるアルミニウムセカンダリブトキシド１２３ｇにアルコールとしてエタノール５８６ｍｌを添加して、恒温槽中０℃で攪拌を行い、さらに、０．２Ｎの希塩酸を滴下により１時間かけて添加した。
（ｃ）  これを、恒温槽中０℃に保持したまま、１２時間攪拌を継続し、さらに、  ３℃で２４時間熟成処理することにより、アルミナゾルを調製した。
【００３７】
最終的な溶液組成は、モル比で、
（アルミニウムセカンダリブトキシド）：（水）：（エタノール）：（塩酸）
＝１：５０：２０：１
になるように調整を行った。
（ｄ）  つぎに、上記超硬基体Ａ，Ｂに形成した前記Ｔｉ０．５Ａｌ０．５Ｎ層、Ａｌ０．７Ｃｒ０．３Ｎ層からなる硬質皮膜上、プラズマ窒化処理を行った超硬基体Ｃ上および特別な表面処理を施していない超硬基体Ｄ上に、上記アルミナゾルを塗布した。
（ｅ）  次いで、上記塗布したアルミナゾルを、大気中３００℃で０．５時間の乾燥処理を行い、さらに塗布と乾燥を合計５回繰り返した後、大気中６００℃で１時間の焼成処理を行い、膜厚１μｍのコランダム型の結晶構造を有するαアルミナ構造の酸化アルミニウム層を最表面に被覆形成することにより、本発明の表面被覆切削工具１，２，３，４（本発明工具１、２、３、４という）を製造した。
【００３８】
上記本発明工具１〜４について、酸化アルミニウム層を透過型電子顕微鏡を用いて構造解析したところ、酸化アルミニウム層は、コランダム型の結晶構造を有するαアルミナ構造を有することが確認された。
【００３９】
図１（ａ）に、一例として、本発明工具１の酸化アルミニウム層について得られた電子回折図形を示し、また、図１（ｂ）に、その解析結果と面間隔の実測値を示す。なお、図１（ｂ）には、コランダム型の結晶構造を有するαアルミナの基準面間隔を併記した。
【００４０】
即ち、図１（ａ）、（ｂ）に示す結果から、本発明工具の酸化アルミニウム層は、コランダム型の結晶構造を有するαアルミナ構造であることが確認される。
【比較例１】
【００４１】
比較のため、以下の製造方法で表面被覆切削工具を製造した。
【００４２】
即ち、上記工具基体Ａ，Ｂ，Ｃ，Ｄに対して、
前記（ａ）の工程で、硬質皮膜を形成し、前記（ｂ）の工程で、アルミナゾルを調製した。
【００４３】
次いで、前記（ｃ）の工程にかえて、恒温槽中４０℃に保持したまま、１２時間攪拌を継続し、さらに、４０℃で２４時間熟成するという処理を行うことによってアルミナゾルを調製した。
【００４４】
次いで、前記（ｄ）と同様にして、超硬基体Ａ，Ｂに形成したＴｉ０．５Ａｌ０．５Ｎ層、Ａｌ０．７Ｃｒ０．３Ｎ層からなる硬質皮膜上、プラズマ窒化処理を施した超硬基体Ｃ上、および特別な表面処理を施していない超硬基体Ｄ上に、上記アルミナゾルを塗布した。
【００４５】
次いで、上記塗布したアルミナゾルを、前記（ｅ）と同様にして、大気中３００℃で０．５時間の乾燥処理を行い、さらに塗布と乾燥処理を合計５回繰り返した後、大気中６００℃で１時間の焼成処理を行い、膜厚１μｍの酸化アルミニウム層を最表面に被覆形成することにより、比較例の表面被覆切削工具１，２，３，４（比較例工具１、２、３、４という）を製造した。
【００４６】
上記比較例工具１〜４について、酸化アルミニウム層を透過型電子顕微鏡を用いて構造解析したところ、酸化アルミニウム層は、特定の結晶構造を有しないアモルファス構造であることが確認された。
【００４７】
つぎに、上記本発明工具１〜４および比較例工具１〜４について、次の条件で炭素鋼の切削加工試験を行った。
【００４８】
被削材：ＪＩＳ・Ｓ４５Ｃの丸棒、
切削速度：２００  ｍ／ｍｉｎ、
切込み：２．０  ｍｍ、
送り：０．２  ｍｍ／ｒｅｖ、
切削時間：３  分
切削加工試験後の、それぞれの工具の摩耗状態について観察を行い、逃げ面摩耗量の測定を行った。
【００４９】
これらの結果を表１に示す。
【００５０】
【表１】
0005739189.tif 000002
【実施例２】
【００５１】
原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＴａＣ粉末、ＷＣ粉末、Ｃｏ粉末、およびＮｉ粉末を用意し、これらを所定の配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１９０６１２のチップ形状をもったＴｉＣＮ基サーメット製の工具基体Ｅ，Ｆ（サーメット基体Ｅ，Ｆという）を製造した。
（ｇ）  ついで、上記サーメット基体Ｅを物理蒸着装置の一種であるアークイオンプレーティング装置に装入し、膜厚２．０μｍのＴｉ０．５Ａｌ０．５Ｎ層からなる硬質皮膜を物理蒸着により被覆形成した。
【００５２】
また、上記サーメット基体Ｆについても、同じくアークイオンプレーティング装置に装入し、膜厚２．０μｍのＡｌ０．７Ｃｒ０．３Ｎ層からなる硬質皮膜を物理蒸着により被覆形成した。
（ｈ）  一方、硬質皮膜の最表面に、酸化アルミニウム層をゾル−ゲル法で被覆形成するためのアルミナゾルの調製を、次のように行った。
【００５３】
アルミニウムのアルコキシドであるアルミニウムイソプロポキシド１０２ｇにアルコールとして１−ブタノール９１５ｍｌを添加して、恒温槽中０℃で攪拌を行いながら、アルミニウムイソプロポキシドに対して４ｗｔ％となるように平均粒径１００ｎｍのαアルミナ粒子を添加し、さらに、０．２Ｎの希硝酸を滴下により１時間かけて添加した。
（ｉ）  これを、恒温槽中０℃に保持したまま、１２時間攪拌を継続し、さらに、  ３℃で２４時間熟成処理することにより、アルミナゾルを調製した。
【００５４】
最終的な溶液組成は、モル比で、
（アルミニウムイソプロポキシド）：（水）：（１−ブタノール）：（硝酸）
＝１：５０：２０：１
になるように調整を行った。
（ｊ）  つぎに、上記サーメット基体Ｅ，Ｆに形成した前記Ｔｉ０．５Ａｌ０．５Ｎ層、Ａｌ０．７Ｃｒ０．３Ｎ層からなる硬質皮膜上に、上記アルミナゾルを塗布した。
（ｋ）  次いで、上記塗布したアルミナゾルを、大気中３００℃で０．５時間の乾燥処理を行い、さらに塗布と乾燥を合計４回繰り返した後、大気中６００℃で１時間の焼成処理を行い、膜厚１μｍのコランダム型の結晶構造を有するαアルミナ構造の酸化アルミニウム層を最表面に被覆形成することにより、本発明の表面被覆切削工具５，６（本発明工具５、６という）を製造した。
【００５５】
また、原料粉末として、いずれも０．３〜０．９μｍの範囲内の平均粒径を有するＴｉＮ粉末、ＴｉＣ粉末、ＴｉＣＮ粉末、ＴｉＡｌ３粉末、Ａｌ２Ｏ３粉末、ＷＣ粉末およびｃＢＮ粉末を用意し、これらを所定の配合組成に配合し、ボールミルで４８時間アセトンを用いて湿式混合し、乾燥した後、油圧プレスにて成形圧１ＭＰａで直径：５０ｍｍ×厚さ：１．５ｍｍの寸法にプレス成形し、ついでこの成形体を、圧力：１Ｐａの真空雰囲気中、１０００〜１３００℃の範囲内の所定温度に３０〜６０分間保持して熱処理し、揮発成分および粉末表面への吸着成分を除去して切刃片用予備焼結体とし、この予備焼結体を、別途用意した、Ｃｏ：８質量％、ＷＣ：残りの組成、並びに直径：５０ｍｍ×厚さ：２ｍｍの寸法をもったＷＣ基超硬合金製支持片と重ね合わせた状態で、通常の超高圧焼結装置に装入し、通常の条件である圧力：５ＧＰａ、温度：１５００℃、保持時間：３０分間の条件で超高圧高温焼結し、ｃＢＮ焼結材を得る。ｃＢＮ焼結材円板を、ワイヤー放電加工機で所定寸法に切断し、Ｃｏ：５質量％、ＴａＣ：５質量％、ＷＣ：残りの組成およびＩＳＯ規格ＣＮＧＡ１２０４０８のインサート形状をもったＷＣ基超硬合金製インサート本体のろう付け部（コーナー部）に、質量％で、Ｃｕ：２６％、Ｔｉ：５％、Ａｇ：残りからなる組成を有するＡｇ合金のろう材を用いてろう付けし、上下面および外周研磨、ホーニング処理を施すことによりＩＳＯ規格ＣＮＧＡ１２０４０８のインサート形状をもったｃＢＮ焼結体製の工具基体Ｇ，Ｈ，Ｉを製造した。
【００５６】
ｃＢＮ焼結体製の工具基体Ｇ，Ｈ，Ｉに対して、上記の工程（ｇ）〜（ｋ）により、工具基体Ｇ，Ｈには、それぞれ硬質皮膜を形成した後に、工具基体Ｉについては無処理のままで、それぞれの表面にアルミナ膜を形成し、本発明の表面被覆切削工具７，８，９（本発明工具７、８、９という）を製造した。
【００５７】
上記本発明工具５〜９について、酸化アルミニウム層を透過型電子顕微鏡を用いて構造解析したところ、酸化アルミニウム層は、コランダム型の結晶構造を有するαアルミナ構造を有することが確認された。
【比較例２】
【００５８】
比較のため、上記工具基体Ｅ〜Ｉを用いて、比較例の表面被覆切削工具５〜９（比較例工具５〜９という）を製造した。
即ち、上記（ｇ）の工程で、サーメット基体ＥにＴｉ０．５Ａｌ０．５Ｎ層、サーメット基体ＦにＡｌ０．７Ｃｒ０．３Ｎ層、ｃＢＮ焼結体製の工具基体ＧにＴｉ０．５Ａｌ０．５Ｎ層、ｃＢＮ焼結体製の工具基体ＨにＡｌ０．７Ｃｒ０．３Ｎ層からなる硬質皮膜をそれぞれ形成し、また、ｃＢＮ焼結体製の工具基体Ｉについては無処理のままとし、上記（ｈ）の工程で、アルミナゾルを調製した。
【００５９】
次いで、前記（ｉ）の工程において、恒温槽中４０℃に保持したまま、１２時間攪拌を継続し、さらに、４０℃で２４時間熟成するという処理を行うことによってアルミナゾルを調製した。
【００６０】
次いで、サーメット基体Ｅ，Ｆ、ｃＢＮ焼結体製の工具基体Ｇ，Ｈに形成した硬質皮膜上、また、無処理のｃＢＮ焼結体製の工具基体Ｉ上に、上記アルミナゾルを塗布した。
【００６１】
次いで、上記塗布したアルミナゾルを、上記（ｋ）と同様にして、大気中３００℃で０．５時間の乾燥処理を行い、さらに塗布と乾燥処理を合計５回繰り返した後、大気中６００℃で１時間の焼成処理を行い、膜厚１μｍの酸化アルミニウム層を最表面に被覆形成することにより、比較例の表面被覆切削工具５〜９（比較例工具５〜９という）を製造した。
【００６２】
上記比較例工具５〜９について、酸化アルミニウム層を透過型電子顕微鏡を用いて構造解析したところ、酸化アルミニウム層は、アモルファス構造であることが確認された。
【００６３】
つぎに、上記本発明工具５，６および比較例工具５，６について、次の条件で炭素鋼の切削加工試験を行った。
【００６４】
被削材：ＪＩＳ・Ｓ４５Ｃの丸棒、
切削速度：２００  ｍ／ｍｉｎ、
切込み：２．０  ｍｍ、
送り：０．２  ｍｍ／ｒｅｖ、
切削時間：３  分
切削加工試験後の、それぞれの工具の摩耗状態について観察を行い、逃げ面摩耗量の測定を行った。
また、上記本発明工具７，８，９および比較例工具７，８，９について、次の条件で焼入れ鋼の切削加工試験を行った。
被削材：ＪＩＳ・ＳＵＪ２（ＨＲＡ６０）の丸棒、
切削速度：２２０ｍ／ｍｉｎ，
切り込み：０．１５ｍｍ，
送り：０．２５ｍｍ／ｒｅｖ，
切削時間：５分
切削加工試験後の、それぞれの工具の摩耗状態について観察を行い、逃げ面摩耗量の測定を行った。
【００６５】
表１に、切削加工試験後の、それぞれの工具の摩耗損傷状況についての観察結果を示す。
【００６６】
表１に示される結果から、この発明の製造方法で製造した表面被覆切削工具１〜９においては、最表面の酸化アルミニウム層が、平滑性にすぐれた膜厚０．０５〜５μｍのコランダム型の結晶構造を有するαアルミナ構造の酸化アルミニウム層として構成されていることから、溶着等の発生もなく、長期の使用にわたってすぐれた耐摩耗性を発揮する。
【００６７】
これに対して、最表面の酸化アルミニウム層が、γアルミナ構造である比較例の表面被覆切削工具１〜９においては、切削の途中ですくい面から欠損を生じたり、激しいすくい面摩耗が生じたりするため、耐摩耗性に劣り、短時間で使用寿命に至ることは明らかである。
【産業上の利用可能性】
【００６８】
この発明の表面被覆切削工具の製造方法によれば、比較的低温度領域でのアルミナゾルの調製を行うゾル−ゲル法によって、熱安定性、耐摩耗性にすぐれたコランダム型の結晶構造を有するαアルミナ構造の酸化アルミニウム層を簡易な操作で形成することができるため、工具寿命の長寿命化を図れるばかりか、製造工程上の省資源、省エネにも寄与し得るものであって、実用上の効果が大である。
【図１】
0005739189.tif 000003